【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】  揺動可能な複数の鍵を有する鍵盤装置と、
複数のパートからなる演奏データに基づいて前記鍵盤装置の前記鍵を駆動可能な駆動手段と、
前記演奏データに基づいて楽音信号を生成可能な音源と、
前記演奏データを構成している複数のパート毎に、各パートの演奏データに基づいて前記鍵を駆動するか否かを設定する設定手段と、
前記設定手段により前記鍵を駆動するように設定されているパートの演奏データに基づいて、前記駆動手段が前記鍵を駆動するように制御する制御手段と
を有する電子楽器。
【請求項２】  揺動可能な複数の鍵を有する鍵盤装置と、
複数のパートからなる演奏データに基づいて前記鍵盤装置の前記鍵を駆動可能な駆動手段と、
前記演奏データに基づいて楽音信号を生成可能な音源と、
前記演奏データを構成している複数のパート毎に、各パートの演奏データに基づいて前記鍵を駆動するか否かを設定するとともに、各パートの演奏データに基づいて楽音信号を生成するか否かを設定する設定手段と、
前記設定手段により前記鍵を駆動するように設定されているパートの演奏データに基づいて、前記駆動手段が前記鍵を駆動するように制御するとともに、前記設定手段により楽音信号を生成するように設定されているパートの演奏データに基づいて、前記音源が楽音信号を生成するように制御する制御手段と
を有する電子楽器。
【請求項３】  揺動可能な複数の鍵を有する鍵盤装置と、
複数のパートからなる演奏データに基づいて前記鍵盤装置の前記鍵を駆動可能な駆動手段と、
前記演奏データに基づいて楽音信号を生成可能な音源と、
前記演奏データを構成している複数のパート毎に、各パートの演奏データに基づいて前記鍵を駆動するとともに楽音信号を生成する第１の状態と、各パートの演奏データに基づいて前記鍵を駆動することなく楽音信号を生成する第２の状態と、各パートの演奏データに基づいて前記鍵を駆動することなく楽音信号を生成することのない第３の状態とのいずれかの状態に設定する設定手段と、
前記演奏データを構成しているパートが前記設定手段により前記第１の状態に設定されているときに、該パートの演奏データに基づいて、前記駆動手段が前記鍵を駆動するように制御するとともに前記音源が楽音信号を生成するように制御し、前記演奏データを構成しているパートが前記設定手段により前記第２の状態に設定されているときに、該パートの演奏データに基づいて、前記駆動手段が前記鍵を駆動するように制御するとともに前記音源が楽音信号が生成しないように制御し、前記演奏データを構成しているパートが前記設定手段により前記第３の状態に設定されているときに、該パートの演奏データに基づいて、前記駆動手段が前記鍵を駆動しないように制御するとともに前記音源が楽音信号が生成しないように制御する制御手段と
を有する電子楽器。
【請求項４】 揺動可能な複数の鍵を有する鍵盤装置と、
演奏データに基づいて前記鍵盤装置の鍵を駆動する駆動手段と、
演奏データに基づいて楽音信号を生成する音源と、
演奏データを構成している複数のパートのうちいずれのパートの演奏データにより前記駆動手段により鍵を駆動するかを設定する設定手段と、
前記設定手段により設定されているパートの演奏データにより鍵を駆動するとともに、前記音源により楽音信号を生成するよう制御する制御手段と
を有する電子楽器。
【手続補正２】
【補正対象書類名】明細書
【補正対象項目名】０００８
【補正方法】変更
【補正の内容】
【０００８】
【課題を解決するための手段】
上記目的を達成するために、本発明のうち請求項１に記載の発明は、揺動可能な複数の鍵を有する鍵盤装置と、複数のパートからなる演奏データに基づいて上記鍵盤装置の上記鍵を駆動可能な駆動手段と、上記演奏データに基づいて楽音信号を生成可能な音源と、上記演奏データを構成している複数のパート毎に、各パートの演奏データに基づいて上記鍵を駆動するか否かを設定する設定手段と、上記設定手段により上記鍵を駆動するように設定されているパートの演奏データに基づいて、上記駆動手段が上記鍵を駆動するように制御する制御手段とを有するようにしたものである。
【手続補正３】
【補正対象書類名】明細書
【補正対象項目名】０００９
【補正方法】変更
【補正の内容】
【０００９】
また、本発明のうち請求項２に記載の発明は、揺動可能な複数の鍵を有する鍵盤装置と、複数のパートからなる演奏データに基づいて上記鍵盤装置の上記鍵を駆動可能な駆動手段と、上記演奏データに基づいて楽音信号を生成可能な音源と、上記演奏データを構成している複数のパート毎に、各パートの演奏データに基づいて上記鍵を駆動するか否かを設定するとともに、各パートの演奏データに基づいて楽音信号を生成するか否かを設定する設定手段と、上記設定手段により上記鍵を駆動するように設定されているパートの演奏データに基づいて、上記駆動手段が上記鍵を駆動するように制御するとともに、上記設定手段により楽音信号を生成するように設定されているパートの演奏データに基づいて、上記音源が楽音信号を生成するように制御する制御手段とを有するようにしたものである。
また、本発明のうち請求項３に記載の発明は、揺動可能な複数の鍵を有する鍵盤装置と、複数のパートからなる演奏データに基づいて上記鍵盤装置の上記鍵を駆動可能な駆動手段と、上記演奏データに基づいて楽音信号を生成可能な音源と、上記演奏データを構成している複数のパート毎に、各パートの演奏データに基づいて上記鍵を駆動するとともに楽音信号を生成する第１の状態と、各パートの演奏データに基づいて上記鍵を駆動することなく楽音信号を生成する第２の状態と、各パートの演奏データに基づいて上記鍵を駆動することなく楽音信号を生成することのない第３の状態とのいずれかの状態に設定する設定手段と、上記演奏データを構成しているパートが上記設定手段により上記第１の状態に設定されているときに、該パートの演奏データに基づいて、上記駆動手段が上記鍵を駆動するように制御するとともに上記音源が楽音信号を生成するように制御し、上記演奏データを構成しているパートが上記設定手段により上記第２の状態に設定されているときに、該パートの演奏データに基づいて、上記駆動手段が上記鍵を駆動するように制御するとともに上記音源が楽音信号が生成しないように制御し、上記演奏データを構成しているパートが上記設定手段により上記第３の状態に設定されているときに、該パートの演奏データに基づいて、上記駆動手段が上記鍵を駆動しないように制御するとともに上記音源が楽音信号が生成しないように制御する制御手段とを有するようにしたものである。
また、本発明のうち請求項４に記載の発明は、揺動可能な複数の鍵を有する鍵盤装置と、演奏データに基づいて上記鍵盤装置の鍵を駆動する駆動手段と、演奏データに基づいて楽音信号を生成する音源と、演奏データを構成している複数のパートのうちいずれのパートの演奏データにより上記駆動手段により鍵を駆動するかを設定する設定手段と、上記設定手段により設定されているパートの演奏データにより鍵を駆動するとともに、上記音源により楽音信号を生成するよう制御する制御手段とを有するようにしたものである。
【手続補正４】
【補正対象書類名】明細書
【補正対象項目名】００２１
【補正方法】変更
【補正の内容】
【００２１】
トラック情報は、例えば、演奏データのヘッダ部分に配置され、当該演奏データが、リズム演奏のパートのトラック、ユーザーによる演奏のパートを録音するための演奏録音用のトラック、伴奏のパートのトラック、通常演奏（右手と左手の両方を使用した演奏を意味する。）における左手側の演奏（以下、「左手演奏」と称する。）のパートのトラックあるいは通常演奏における右手側の演奏（以下、「右手演奏」と称する。）のパートのトラックのうちの、いずれのトラックの演奏データであるかを示すものである。
【手続補正５】
【補正対象書類名】明細書
【補正対象項目名】００３５
【補正方法】変更
【補正の内容】
【００３５】
また、Ｓｔｏｐボタン４６は、自動演奏の停止状態を設定する操作子であり、このＳｔｏｐボタン４６が操作されると、自動演奏装置１８から音源２０への演奏データの送出が停止されて楽音信号は生成されなくなる。
【手続補正６】
【補正対象書類名】明細書
【補正対象項目名】００３６
【補正方法】変更
【補正の内容】
【００３６】
また、Ｍｉｎｕｓ  Ｏｎｅボタン４８が操作されると、５つのトラック・ボタン、即ち、Ｒｈｙｔｈｍボタン６０ａと、Ｗｈｏｌｅボタン６０ｂと、Ａｃｍｐボタン６０ｃと、Ｌｅｆｔボタン６０ｄと、Ｒｉｇｈｔボタン６０ｅのそれぞれが指定するトラックのステータスが全て後述する鍵盤非動作状態に設定されることになる。
【手続補正７】
【補正対象書類名】明細書
【補正対象項目名】００４８
【補正方法】変更
【補正の内容】
【００４８】
初期状態においては、自動演奏装置１８から出力された演奏データが読み込まれると、リズム演奏のパートのトラック、演奏録音用のトラック、伴奏のパートのトラック、左手演奏のパートのトラックならびに右手演奏のパートのトラックのそれぞれについて、当該トラックに対応する演奏データが存在すれば、当該トラックのトラック状態レジスタにオン状態が記憶され、当該トラックに対応する演奏データが存在しなければ、当該トラックのトラック状態レジスタにオフ状態が記憶される。